(57)【要約】【課題】構造が簡潔であり、使用者が遊びやすいルーレット玩具を提供する。【解決手段】ルーレット玩具１は、ケース２と、ケース２に収容されている回転可能なルーレット盤３と、ルーレット盤３の回転軸上に配置されており、ルーレット盤３と一体に回転されるピニオン４と、ラック１４とストッパ１５とを有し、ストッパ１５がピニオン４と噛み合う第１位置から、ストッパ１５がピニオン４から離間し且つラック１４がピニオン４と噛み合う第２位置を経て、ラック１４がピニオン４を通過する第３位置まで移動可能な第１操作部材５と、第３位置から第１位置に向けて操作部材１５を付勢するコイルばね６と、を備える。【選択図】図１
2019084303.tif 000002
【特許請求の範囲】
【請求項１】
ケースと、
前記ケースに収容された回転可能なルーレット盤と、
前記ルーレット盤の回転軸上に配置されており、前記ルーレット盤と一体に回転可能なピニオンと、
ラックとストッパとを有し、前記ストッパが前記ピニオンと噛み合う第１位置から、前記ストッパが前記ピニオンから離間し且つ前記ラックが前記ピニオンと噛み合う第２位置を経て、前記ラックが前記ピニオンを通過する第３位置まで移動可能な第１操作部材と、
前記第３位置から前記第１位置に向けて前記第１操作部材を付勢する付勢部材と、
を備えるルーレット玩具。
【請求項２】
請求項１記載のルーレット玩具であって、
前記ラックの歯は一つであるルーレット玩具。
【請求項３】
請求項１又は２記載のルーレット玩具であって、
前記ケースは、
前記ルーレット盤の背後に設けられており、複数の物品を収容可能な収容部と、
前記収容部に連通している前記物品の出入口と、
を有し、
前記出入口を開閉可能な第２操作部材をさらに備えるルーレット玩具。
【請求項４】
請求項３記載のルーレット玩具であって、
前記第２操作部材は、前記出入口を閉じる閉位置と、前記出入口を開く開位置との間で、前記回転軸まわりに回転可能であるルーレット玩具。
【請求項５】
請求項４記載のルーレット玩具であって、
前記ケースは、前記回転軸の周囲を廻る外周面を有し、
前記第１操作部材及び前記第２操作部材は、前記外周面から突出して配置されている操作部をそれぞれ有し、
前記第１操作部材の前記操作部と前記回転軸とを結ぶ線分と、前記第２操作部材の前記操作部と前記回転軸とを結ぶ線分とのなす角度は、９０°以上１８０°未満であるルーレット玩具。
【請求項６】
請求項５記載のルーレット玩具であって、
前記出入口は、前記外周面に設けられており、
前記回転軸と直交する中心線を境にして前記外周面を第１領域と第２領域とに区分した場合に、前記第１操作部材の前記操作部及び前記第２操作部材の前記操作部は前記第１領域側に配置されており、前記出入口は前記第２領域側に配置されているルーレット玩具。
【請求項７】
請求項１から６のいずれか一項記載のルーレット玩具であって、
前記ケースは、前記ルーレット盤の盤面を覆うカバーを有し、前記カバーには、前記ルーレット盤が停止している状態で、前記盤面を周方向に等分してなる複数の領域のうち一つの領域を視認可能とする窓が設けられており、
前記ルーレット盤は、盤面に貼付される第１シートを有し、前記第１シートには、複数の標章が付されており、
前記標章が前記領域毎に設けられるように、前記第１シートの貼付位置を指示するガイドが前記盤面に設けられていれるルーレット玩具。
【請求項８】
請求項７記載のルーレット玩具であって、
前記カバーは、透明であり、表面に貼付される不透明な第２シートを有し、前記第２シートには、前記カバー本体の前記表面の一部を露出させることによって前記窓を形成する切り欠き部が設けられており、
前記切り欠き部が前記窓の形成箇所に配置されるように、前記第２シートの貼付位置を指示するガイドが前記表面に設けられているルーレット玩具。
【発明の詳細な説明】
【技術分野】
【０００１】
本発明は、ルーレット玩具に関する。
【背景技術】
【０００２】
特許文献１に記載されたルーレット玩具は、ルーレット盤と一体に回転するピニオン及び係合部材と、ピニオンと噛み合うラックを有する駆動レバーと、係合部材と係合するストッパとを備える。駆動レバーが押し込まれると、ラックがピニオンと噛み合ってピニオンが回動され、これによりルーレット盤が回転する。また、ストッパが押し込まれると、ストッパが係合部材と係合し、係合部材が停止され、これによりルーレット盤も停止する。
【０００３】
特許文献２に記載されたゲーム具付容器は、小物、菓子、キャンディ等を収容する容器の蓋部が、ルーレットゲーム具等の回転ゲーム具からなる。
【先行技術文献】
【特許文献】
【０００４】
【特許文献１】実用新案登録第２５０９４１９号公報
【特許文献２】実開平３−２７２７９号公報
【発明の概要】
【発明が解決しようとする課題】
【０００５】
特許文献１に記載されたルーレット玩具では、ルーレット盤は、駆動レバーによって回転され、ストッパによって停止される。このように、回転のための操作部材と停止のための操作部材とが別であると、片手での操作が難しい。
【０００６】
特許文献２に記載されたゲーム具付容器では、回転ゲーム具を操作した際に、回転ゲーム具からなる蓋部が外れてしまい、容器に収容されている小物等が飛び出してしまう可能性がある。
【０００７】
本発明は、構造が簡潔であり、使用者が遊びやすいルーレット玩具を提供することを目的とする。
【課題を解決するための手段】
【０００８】
本発明に係るルーレット玩具は、ケースと、前記ケースに収容された回転可能なルーレット盤と、前記ルーレット盤の回転軸上に配置されており、前記ルーレット盤と一体に回転可能なピニオンと、ラックとストッパとを有し、前記ストッパが前記ピニオンと噛み合う第１位置から、前記ストッパが前記ピニオンから離間し且つ前記ラックが前記ピニオンと噛み合う第２位置を経て、前記ラックが前記ピニオンを通過する第３位置まで移動可能な第１操作部材と、前記第３位置から前記第１位置に向けて前記第１操作部材を付勢する付勢部材と、を備えることを特徴とする。
【０００９】
また、本発明に係るルーレット玩具においては、前記ラックの歯は一つであってもよい。
【００１０】
また、本発明に係るルーレット玩具においては、前記ケースは、前記ルーレット盤の背後に設けられており、複数の物品を収容可能な収容部と、前記収容部に連通している前記物品の出入口と、を有し、前記出入口を開閉可能な第２操作部材をさらに備えてもよい。
【００１１】
また、本発明に係るルーレット玩具においては、前記第２操作部材は、前記出入口を閉じる閉位置と、前記出入口を開く開位置との間で、前記回転軸まわりに回転可能であってもよい。
【００１２】
また、本発明に係るルーレット玩具においては、前記ケースは、前記回転軸の周囲を廻る外周面を有し、前記第１操作部材及び前記第２操作部材は、前記外周面から突出して配置されている操作部をそれぞれ有し、前記第１操作部材の前記操作部と前記回転軸とを結ぶ線分と、前記第２操作部材の前記操作部と前記回転軸とを結ぶ線分とのなす角度は、９０°以上１８０°未満であってもよい。
【００１３】
また、本発明に係るルーレット玩具においては、前記出入口は、前記外周面に設けられており、前記回転軸と直交する中心線を境にして前記外周面を第１領域と第２領域とに区分した場合に、前記第１操作部材の前記操作部及び前記第２操作部材の前記操作部は前記第１領域側に配置されており、前記出入口は前記第２領域側に配置されていてもよい。
【００１４】
また、本発明に係るルーレット玩具においては、前記ケースは、前記ルーレット盤の盤面を覆うカバーを有し、前記カバーには、前記ルーレット盤が停止している状態で、前記盤面を周方向に等分してなる複数の領域のうち一つの領域を視認可能とする窓が設けられており、前記ルーレット盤は、盤面に貼付される第１シートを有し、前記第１シートには、複数の標章が付されており、前記標章が前記領域毎に設けられるように、前記第１シートの貼付位置を指示するガイドが前記盤本体に設けられていてもよい。
【００１５】
また、本発明に係るルーレット玩具においては、前記カバーは、透明であり、表面に貼付される不透明な第２シートを有し、前記第２シートには、前記表面の一部を露出させることによって前記窓を形成する切り欠き部が設けられており、前記切り欠き部が前記窓の形成箇所に配置されるように、前記第２シートの貼付位置を指示するガイドが前記表面に設けられていてもよい。
【発明の効果】
【００１６】
本発明によれば、構造が簡潔であり、使用者が遊びやすいルーレット玩具を提供することができる。
【図面の簡単な説明】
【００１７】
【図１】本発明の実施形態を説明するための、ルーレット玩具の一例の斜視図である。
【図２】図１のルーレット玩具を分解して示す斜視図である。
【図３】図１のルーレット玩具のルーレット盤が回転される際の要部の動作を示す平面図である。
【図４】図１のルーレット玩具に収容された物品が取り出される際の要部の動作を示す平面図である。
【図５】図１のルーレット玩具の平面図である。
【発明を実施するための形態】
【００１８】
図１及び図２は、本発明の実施形態を説明するための、ルーレット玩具の一例を示す。
【００１９】
ルーレット玩具１は、ケース２と、ケース２に収容されている回転可能なルーレット盤３及びピニオン４と、ルーレット盤３を回転させ且つ停止させるための第１操作部材５と、第１操作部材５を付勢する付勢部材としてのコイルばね６とを備える。さらに、本例では、ケース２はラムネ等の顆粒状の物品を収容可能であり、ルーレット玩具１は、物品の出入口３２を開閉するための第２操作部材７をさらに備える。
【００２０】
ケース２は、ルーレット盤３の盤面を覆うカバー１０と、ルーレット盤３を収容する空間をカバー１０との間に形成するボディ１１とを有し、円筒状に形成されている。ルーレット盤３は、ボディ１１によって回転可能に支持されてもよいが、本例では盤面とは反対側の背面側に配置されるベースプレート１２によって回転可能に支持されており、ベースプレート１２はボディ１１に組み付けられている。
【００２１】
ベースプレート１２は、円筒状のケース２の内径よりも僅かに小径な円形状に形成されており、ケース２の内部は、ベースプレート１２によって仕切られ、ベースプレート１２とボディ１１との間、すなわちルーレット盤３の背後には、上記物品を収容可能な収容部１３が設けられている。
【００２２】
ピニオン４は、ルーレット盤３の背面側でルーレット盤３の回転軸上に配置されており、ルーレット盤３と一体に回転される。
【００２３】
第１操作部材５は、ルーレット盤３の背面側（ピニオン４が配置されている側）に配置されており、ベースプレート１２によってルーレット盤３の回転軸と直交する方向に移動可能に支持されている。この第１操作部材５は、ピニオン４と噛み合うラック１４と、ピニオン４と噛み合うストッパ１５と、操作部１６とを有する。
【００２４】
操作部１６は、第１操作部材５の移動方向にケース２の外周面から突出しており、ケース２に向けて押し込むことが可能である。コイルばね６は、第１操作部材５とベースプレート１２との間に挟み込まれており、操作部１６が押し込まれる方向とは反対方向に第１操作部材５を付勢している。
【００２５】
操作部１６が押し込まれることによって第１操作部材５は移動し、ラック１４がピニオン４と噛み合ってピニオン４が回転され、ルーレット盤３もまた回転される。また、操作部１６の押し込みが解除されると、第１操作部材５はコイルばね６によって押し戻され、ストッパ１５がピニオン４と噛み合ってピニオン４は停止され、ルーレット盤３もまた停止される。ストッパ１５とピニオン４との噛み合いによって停止されるルーレット盤３は、ピニオン４の歯数をｎとして、３６０°／ｎの角度おきに停止される。
【００２６】
カバー１０には窓２０が設けられており、窓２０は、ルーレット盤３が停止している状態で、ルーレット盤３の盤面を周方向に等分してなる歯数ｎと同数の扇状領域のうち一つの領域を視認可能とする。本例では、カバー１０は透明であり、また、カバー１０は、表面に貼付される不透明な第２シート２１を有する。この第２シート２１には、扇状の切り欠き部２２が設けられており、窓２０は、切り欠き部２２を通して露出されるカバー１０の表面の一部によって形成されている。
【００２７】
第２シート２１には、例えば文字、図形、記号、キャラクタ等の標章が付されている。これらの標章は、印刷等によってカバー１０の表面に直接付されてもよいが、本実施形態では、表面に貼付される第２シート２１に標章が付されていることにより、カバー１０のデザインの変更が容易となっている。そして、第２シート２１の切り欠き部２２が窓２０の形成箇所に配置されるように、第２シート２１の貼付位置を指示するガイドとしての溝２３がカバー１０の表面に設けられている。これにより、カバー１０の表面に第２シート２１を貼付する際の位置合わせを容易に行うことが可能である。
【００２８】
ルーレット盤３の盤面には、盤面を周方向に等分してなる上記複数の扇状領域の領域毎に標章が付されており、ルーレット盤３が停止している状態では、このうち一つの扇状領域に付された標章が窓２０を通して視認される。これらの標章は、印刷等によって盤面に直接付されてもよいが、本実施形態では、ルーレット盤３は、盤面に貼付される第１シート２４を有し、この第１シート２４に標章が付されている。盤面に貼付される第１シート２４に標章が付されていることにより、ルーレット盤３のデザインの変更が容易となっている。そして、第１シート２４に付された標章が上記扇状領域毎に設けられるように、第１シート２４の貼付位置を指示するガイドとしての凸部２５が盤面の外周縁に設けられている。そして、第１シート２４の外周縁には、凸部２５と係合する凹部２６が設けられている。これにより、ルーレット盤３の盤面に第１シート２４を貼付する際の位置合わせを容易に行うことが可能である。なお、本実施形態では、カバー１０の表面に溝２３を設け、ルーレット盤３の盤面に凸部２５を設けることで、シート部材の位置合わせを行っているが、この形状に限られるものではなく、シート部材の位置合わせのガイドとなるものであれば良い。例えば、カバー１０の表面に凸部を設け、ルーレット盤３の盤面に溝を設けても良いし、窪みのような凹部や、カバー１０やルーレット盤の表面にガイドとなる目印を印刷しても良い。
【００２９】
第２操作部材７は、Ｃ字状に形成されたアーム部３０と、操作部３１とを有する。アーム部３０は、ケース２の内周面とベースプレート１２の外周面との間に配置されており、ケース２とベースプレート１２とによってルーレット盤３の回転軸まわりに回転可能に支持されている。操作部３１は、ケース２の外周面から突出しており、アーム部３０の移動方向に、すなわちケース２の外周面に沿ってスライドされる。
【００３０】
ケース２の周壁には、収容部１３に連通している出入口３２が設けられており、収容部１３に収容される上記物品は、この出入口３２を通して収容部１３に収容され、また収容部１３から取り出される。本実施形態では、操作部３１がスライドされることによって第２操作部材７が回転され、アーム部３０の一端側の蓋部３３がケース２の内部で出入口３２に重なって配置され、又は出入口３２から退避され、これにより出入口３２が開閉される。
【００３１】
図３は、ルーレット盤３が回転される際のピニオン４及び第１操作部材５の動作を示す。
【００３２】
上述したとおり、第１操作部材５の操作部１６が本体２の方向に押し込まれることによってルーレット盤３は回転される。操作部１６の押し込みに伴い、第１操作部材５は、図３（ａ）に示す第１位置から、図３（ｂ）に示す第２位置を経て、図３（ｃ）に示す第３位置まで移動する。コイルばね６は、上記第３位置から上記第１位置に向けて第１操作部材５を付勢している。
【００３３】
第１操作部材５が上記第１位置に配置されている状態で、ストッパ１５がピニオン４と噛み合っており、ルーレット盤３は停止している。操作部１６が押し込まれることによって第１操作部材５が上記第１位置から上記第２位置に移動すると、ストッパ１５がピニオン４から離間し且つラック１４がピニオン４と噛み合う。ストッパ１５とピニオン４との噛み合いが解除されることによって、ピニオン４及びルーレット盤３は回転可能となる。そして、第１操作部材５が上記第２位置から上記第３位置に移動すると、ラック１４がピニオン４を通過する。ラック１４がピニオン４を通過する際に、ピニオン４が回転され、ルーレット盤３もまた回転される。
【００３４】
操作部１６の押し込みが解除されると、コイルばね６によって付勢されている第１操作部材５は、上記第３位置から上記第１位置まで移動する。第１操作部材５が上記第１位置に移動すると、ストッパ１５がピニオン４と噛み合い、ルーレット盤３は停止される。ここで、第１操作部材５が上記第２位置を経る際に、ラック１４がピニオン４と噛み合い、ピニオン４及びルーレット盤３は逆回転されるが、直後に第１操作部材５が第１位置に移動してルーレット盤３は停止されるため、ルーレット盤３の逆回転は僅かである。
【００３５】
このように、第１操作部材５のみでルーレット盤３の回転及び停止を行えるので、回転のための操作部材と停止のための操作部材とが別である場合に比べて構造が簡潔となり、片手での操作も容易となる。また、回転のための操作部材と停止のための操作部材とが別であると、二つの操作部材の操作タイミングによっては、ルーレット盤が停止されるまでに逆回転される可能性もあるが、第１操作部材５のみでルーレット盤３の回転及び停止を行うことにより、ルーレット盤３の逆回転を抑制することもできる。
【００３６】
ルーレット盤３の逆回転を抑制する観点から、ラック１４の歯は一つが好ましい。第１操作部材５が上記第３位置から上記第１位置に移動する過程で、ラック１４がピニオン４と噛み合ってルーレット盤３が逆回転を始めてからストッパ１５がピニオン４と噛み合うまでのタイムラグを短縮でき、ルーレット盤３の逆回転をさらに抑制することができる。なお、本実施形態では、第１操作部材５の操作部１６をケース２の方向に押し込むことにより、ルーレット盤３を回転可能な構造としているが、これに限られず、例えば、操作部１６をスライドすることにより、ルーレット盤３を回転する構造としても良い。
【００３７】
図４は、収容部１３に収容されている上記物品が取り出される際の第２操作部材７の動作を示す。
【００３８】
上述したとおり、物品８が取り出されるケース２の出入口３２は、第２操作部材７の操作部３１がケース２の外周面に沿ってスライドされることによって開閉される。操作部３１のスライドに伴い、第２操作部材７は、図４（ａ）に示す閉位置と、図４（ｂ）に示す開位置との間で、ルーレット盤３の回転軸まわりに回転される。
【００３９】
第２操作部材７が上記閉位置に配置されている状態で、アーム部３０の一端側の蓋部３３はケース２の出入口３２に重なっており、出入口３２は蓋部３３によって閉じられている。一方、第２操作部材７が上記開位置に配置されている状態で、アーム部３０の蓋部３３は出入口３２から退避しており、出入口３２は開かれている。
【００４０】
アーム部３０の他端側には凸部３４が設けられており、ベースプレート１２には、第２操作部材７が上記閉位置に配置されている状態で凸部３４と係合する第１凹部３５と、第２操作部材７が上記開位置に配置されている状態で凸部３４と係合する第２凹部３６とが設けられており、凸部３４と第１凹部３５又は第２凹部３６とが係合することによって、第２操作部材７は上記閉位置又は上記開位置に保持される。
【００４１】
ルーレット盤３を収容しているケース２に物品８を収容する収容部１３が設けられており、収容部１３に連通する出入口３２は、ルーレット盤３を操作（回転及び停止）するための第１操作部材５とは別の第２操作部材７によって開閉されるので、ルーレット盤３を操作した際に物品８が飛び出してしまうことを防止することができる。そして、第１操作部材５の操作部１６はケース２に押し込まれ、これに対し、第２操作部材７の操作部３１はケース２の外周面に沿ってスライドされ、互いに操作方向が異なるので、誤操作を防止することができる。
【００４２】
図５は、第１操作部材５の操作部１６、第２操作部材７の操作部３１及び出入口３２の位置関係を示す。
【００４３】
第１操作部材５の操作部１６とルーレット盤３の回転軸とを結ぶ線分Ｌ１と、第２操作部材７の操作部３１とルーレット盤３の回転軸とを結ぶ線分Ｌ２とのなす角度θは、好ましくは９０°以上１８０°未満である。これにより、ルーレット玩具１を片手で把持して親指を第１操作部材５の操作部１６に配置した際に、人差し指を第２操作部材７の操作部３１に楽に配置でき、片手での操作がさらに容易となる。
【００４４】
また、ルーレット盤３の回転軸と直交する中心線Ｌ３を境にしてケース２の外周面を第１領域Ａ１と第２領域Ａ２とに区分した場合に、好ましくは、第１操作部材５の操作部１６及び第２操作部材７の操作部３１は第１領域Ａ１側に配置され、出入口３２は第２領域Ａ２側に配置される。この場合に、ルーレット玩具１を片手で把持し、親指を第１操作部材５の操作部１６に配置し、人差し指を第２操作部材７の操作部３１に配置した際に、出入口３２が自ずと下に向き、物品８の取り出しが容易となる。なお、出入口３２の位置は変更可能であり、出入口３２の位置に応じ、第２操作部材７のアーム部３０をケース２の内周面に沿って延長又は短縮すればよい。
【符号の説明】
【００４５】
１  ルーレット玩具
２  ケース
３  ルーレット盤
４  ピニオン
５  第１操作部材
６  コイルばね
７  第２操作部材
８  物品
１０  カバー
１１  ボディ
１２  ベースプレート
１３  収容部
１４  ラック
１５  ストッパ
１６  操作部
２０  窓
２１  第２シート
２２  切り欠き部
２３  溝
２４  第１シート
２５  凸部
２６  凹部
３０  アーム部
３１  操作部
３２  出入口
３３  蓋部
３４  凸部
３５  第１凹部
３６  第２凹部
【図１】
2019084303.tif 000003
【図２】
2019084303.tif 000004
【図３】
2019084303.tif 000005
【図４】
2019084303.tif 000006
【図５】
2019084303.tif 000007
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
ケースと、
前記ケースに収容された回転可能なルーレット盤と、
前記ルーレット盤の回転軸上に配置されており、前記ルーレット盤と一体に回転可能な
ピニオンと、
ラックとストッパとを有し、前記ストッパが前記ピニオンと噛み合う第１位置から、前記ストッパが前記ピニオンから離間し且つ前記ラックが前記ピニオンと噛み合う第２位置を経て、前記ラックが前記ピニオンを通過する第３位置まで移動可能な第１操作部材と、
前記第３位置から前記第１位置に向けて前記第１操作部材を付勢する付勢部材と、
を備え、
前記ケースは、
前記ルーレット盤の背後に設けられており、複数の物品を収容可能な収容部と、
前記収容部に連通している前記物品の出入口と、
を有し、
前記出入口を開閉可能な第２操作部材を備えるルーレット玩具。
【請求項２】
請求項１記載のルーレット玩具であって、
前記ラックの歯は一つであるルーレット玩具。
【請求項３】
請求項１又は２記載のルーレット玩具であって、
前記第２操作部材は、前記出入口を閉じる閉位置と、前記出入口を開く開位置との間で、前記回転軸まわりに回転可能であるルーレット玩具。
【請求項４】
請求項３記載のルーレット玩具であって、
前記ケースは、前記回転軸の周囲を廻る外周面を有し、
前記第１操作部材及び前記第２操作部材は、前記外周面から突出して配置されている操作部をそれぞれ有し、
前記第１操作部材の前記操作部と前記回転軸とを結ぶ線分と、前記第２操作部材の前記操作部と前記回転軸とを結ぶ線分とのなす角度は、９０°以上１８０°未満であるルーレット玩具。
【請求項５】
請求項４記載のルーレット玩具であって、
前記出入口は、前記外周面に設けられており、
前記回転軸と直交する中心線を境にして前記外周面を第１領域と第２領域とに区分した場合に、前記第１操作部材の前記操作部及び前記第２操作部材の前記操作部は前記第１領域側に配置されており、前記出入口は前記第２領域側に配置されているルーレット玩具。
【請求項６】
請求項１から５のいずれか一項記載のルーレット玩具であって、
前記ケースは、前記ルーレット盤の盤面を覆うカバーを有し、前記カバーには、前記ルーレット盤が停止している状態で、前記盤面を周方向に等分してなる複数の領域のうち一つの領域を視認可能とする窓が設けられており、
前記ルーレット盤は、盤面に貼付される第１シートを有し、前記第１シートには、複数の標章が付されており、
前記標章が前記領域毎に設けられるように、前記第１シートの貼付位置を指示するガイドが前記盤面に設けられていれるルーレット玩具。
【請求項７】
請求項６記載のルーレット玩具であって、
前記カバーは、透明であり、表面に貼付される不透明な第２シートを有し、前記第２シートには、前記カバー本体の前記表面の一部を露出させることによって前記窓を形成する切り欠き部が設けられており、
前記切り欠き部が前記窓の形成箇所に配置されるように、前記第２シートの貼付位置を指示するガイドが前記表面に設けられているルーレット玩具。
【手続補正２】
【補正対象書類名】明細書
【補正対象項目名】０００８
【補正方法】変更
【補正の内容】
【０００８】
本発明に係るルーレット玩具は、ケースと、前記ケースに収容された回転可能なルーレット盤と、前記ルーレット盤の回転軸上に配置されており、前記ルーレット盤と一体に回転可能なピニオンと、ラックとストッパとを有し、前記ストッパが前記ピニオンと噛み合う第１位置から、前記ストッパが前記ピニオンから離間し且つ前記ラックが前記ピニオンと噛み合う第２位置を経て、前記ラックが前記ピニオンを通過する第３位置まで移動可能な第１操作部材と、前記第３位置から前記第１位置に向けて前記第１操作部材を付勢する付勢部材と、を備えることを特徴とする。また、本発明に係るルーレット玩具は、ケースと、前記ケースに収容された回転可能なルーレット盤と、前記ルーレット盤の回転軸上に配置されており、前記ルーレット盤と一体に回転可能なピニオンと、ラックとストッパとを有し、前記ストッパが前記ピニオンと噛み合う第１位置から、前記ストッパが前記ピニオンから離間し且つ前記ラックが前記ピニオンと噛み合う第２位置を経て、前記ラックが前記ピニオンを通過する第３位置まで移動可能な第１操作部材と、前記第３位置から前記第１位置に向けて前記第１操作部材を付勢する付勢部材と、を備え、前記ケースは、前記ルーレット盤の背後に設けられており、複数の物品を収容可能な収容部と、前記収容部に連通している前記物品の出入口と、を有し、前記出入口を開閉可能な第２操作部材を備える。
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
ケースと、
前記ケースに収容された回転可能なルーレット盤と、
前記ルーレット盤の回転軸上に配置されており、前記ルーレット盤と一体に回転可能な
ピニオンと、
ラックとストッパとを有し、前記ストッパが前記ピニオンと噛み合う第１位置から、前記ストッパが前記ピニオンから離間し且つ前記ラックが前記ピニオンと噛み合う第２位置を経て、前記ラックが前記ピニオンを通過する第３位置まで移動可能な第１操作部材と、
前記第３位置から前記第１位置に向けて前記第１操作部材を付勢する付勢部材と、
を備え、
前記ケースは、
前記ルーレット盤の背後に設けられており、複数の物品を収容可能な収容部と、
前記収容部に連通している前記物品の出入口と、
を有し、
前記出入口を開閉可能な第２操作部材を備えるルーレット玩具。
【請求項２】
請求項１記載のルーレット玩具であって、
前記ラックの歯は一つであるルーレット玩具。
【請求項３】
請求項１又は２記載のルーレット玩具であって、
前記第２操作部材は、前記出入口を閉じる閉位置と、前記出入口を開く開位置との間で、前記回転軸まわりに回転可能であるルーレット玩具。
【請求項４】
請求項３記載のルーレット玩具であって、
前記ケースは、前記回転軸の周囲を廻る外周面を有し、
前記第１操作部材及び前記第２操作部材は、前記外周面から突出して配置されている操作部をそれぞれ有し、
前記第１操作部材の前記操作部と前記回転軸とを結ぶ線分と、前記第２操作部材の前記操作部と前記回転軸とを結ぶ線分とのなす角度は、９０°以上１８０°未満であるルーレット玩具。
【請求項５】
請求項４記載のルーレット玩具であって、
前記出入口は、前記外周面に設けられており、
前記回転軸と直交する中心線を境にして前記外周面を第１領域と第２領域とに区分した場合に、前記第１操作部材の前記操作部及び前記第２操作部材の前記操作部は前記第１領域側に配置されており、前記出入口は前記第２領域側に配置されているルーレット玩具。
【請求項６】
請求項１から５のいずれか一項記載のルーレット玩具であって、
前記ケースは、前記ルーレット盤の盤面を覆うカバーを有し、前記カバーには、前記ルーレット盤が停止している状態で、前記盤面を周方向に等分してなる複数の領域のうち一つの領域を視認可能とする窓が設けられており、
前記ルーレット盤は、盤面に貼付される第１シートを有し、前記第１シートには、複数の標章が付されており、
前記標章が前記領域毎に設けられるように、前記第１シートの貼付位置を指示するガイドが前記盤面に設けられていれるルーレット玩具。
【請求項７】
請求項６記載のルーレット玩具であって、
前記カバーは、透明であり、表面に貼付される不透明な第２シートを有し、前記第２シートには、前記カバーの前記表面の一部を露出させることによって前記窓を形成する切り欠き部が設けられており、
前記切り欠き部が前記窓の形成箇所に配置されるように、前記第２シートの貼付位置を指示するガイドが前記表面に設けられているルーレット玩具。